(57)【要約】【課題】高強度化が可能な壁パネルの接合構造及びその構造に用いる接合金物を提供すること。【解決手段】耐力壁２の縦枠材４に薄板軽量形鋼を用いて、アンカーボルト１又はボルト１と縦枠材４とを接合金物３を介して固定した耐力壁２の接合構造において、耐力壁２の少なくとも片面に取り付けられる構造用面材７と直交する壁厚方向Ｘに、アンカーボルト１又はボルト１を複数配置する。接合金物３は、アンカーボルト１又はボルト１を収納配置する内側筒状体６ｃを複数備え、その内側筒状体６ｃは、長方形の筒状体６の内側において壁厚方向Ｘに間隔をおいて複数配置されていると共に長方形の筒状体６に固定されている。【選択図】図１
2014015804.tif 000002
【特許請求の範囲】
【請求項１】
耐力壁の縦枠材に薄板軽量形鋼を用いて、アンカーボルト又はボルトと縦枠材とを接合金物を介して固定した耐力壁の接合構造において、前記耐力壁の少なくとも片面に取り付けられる構造用面材と直交する壁厚方向に、アンカーボルト又はボルトを複数配置したことを特徴とする耐力壁の接合構造。
【請求項２】
前記接合金物は、水平断面形状が壁厚方向に長辺を有する長方形である筒状体を備えており、縦枠材における短辺側の対向するフランジ内側面に前記長方形の筒状体の短辺側が重合するように配置され、前記接合金物の各短辺と前記縦枠材の各フランジとがそれぞれねじ止めされていることを特徴とする請求項１に記載の耐力壁の接合構造。
【請求項３】
前記接合金物の降伏耐力は、前記複数のアンカーボルト及びボルトの降伏耐力よりも低く、かつ前記接合金物は、耐力を保持しながら変形可能にされていることを特徴とする請求項２に記載の耐力壁の接合構造。
【請求項４】
請求項２又は３に記載の耐力壁の接合構造に用いる接合金物であって、前記接合金物は、前記アンカーボルト又はボルトを収納配置する内側筒状体を複数備え、その内側筒状体は、前記長方形の筒状体の内側において壁厚方向に間隔をおいて複数配置されていると共に前記長方形の筒状体に固定されていることを特徴とする耐力壁の接合構造に用いる接合金物。
【請求項５】
前記接合金物は、前記耐力壁の下方から上方に渡って設けられるウェブと、当該ウェブの上端及び下端に設けられる接合用フランジとを備え、前記接合金物のウェブが前記縦枠材のウェブに重合させてねじ接合され、前記接合用フランジが壁厚方向に配置された複数のアンカーボルト又はボルトにより連結されることを特徴とする請求項１に記載の耐力壁の接合構造。
【請求項６】
請求項５に記載の耐力壁の接合構造に用いる接合金物であって、前記接合金物は、前記耐力壁の下方から上方に渡って、壁厚方向に複数並列して配置された溝形部材により形成されるウェブと、それぞれの前記溝形部材の上端及び下端に、上下方向に貫通するボルト挿通孔を有する接合用フランジとを備えていることを特徴とする耐力壁の接合構造に用いる接合金物。
【発明の詳細な説明】
【技術分野】
【０００１】
本発明は、壁パネルからなる耐力壁を使用する建物、特に、スチールハウスの建物における耐力壁の接合構造及び接合金物に関する。
【背景技術】
【０００２】
従来、スチ−ルハウスにおける耐力壁としての壁パネルとして、薄鋼板を凹溝状に折り曲げ加工されて形成された横断面リップ付溝形の一対の溝形鋼のウェブを背中合わせに配置した縦枠材を間隔をおいて配置すると共に、それらの上下部を、薄鋼板を凹溝状に折り曲げ加工されて形成された断面溝形の上横枠材と下横枠材により連結されると共に、これらの側面の片面又は両面に、ビス又はドリルねじ等の固着具により固定される薄鋼板等の構造用面材とを備えた壁パネルが知られている（例えば、特許文献１参照）。
【０００３】
図１３〜図１５に示すように、前記従来の縦枠材３０のウェブ３１は、一対の横断面リップ付き溝形鋼３２を背中合わせに配置して形成している。そして、一つの上下方向のボルト１に両側に張り出すように接合用フランジ３３を有する側方開口溝形断面の接合金物３４の溝を嵌合すると共に、接合用フランジ３３の上下両端部を前記ボルト１にねじ込まれた上下一対の圧着用雌ねじ部材３５により位置固定可能に装着している。さらに、前記縦枠材３０のウェブ３１を壁厚方向に配置すると共にその中央部にボルト１の中心軸線を合わせるように配置し、前記接合金物３４の左右両側の接合用フランジ３３を前記縦枠材３０のウェブ３１の幅方向両側に配置して、多数のドリルねじ３６により接合するようにした壁パネル３７の構造が知られている。
【０００４】
また、従来、図１５、図１６に示すように、一対のリップ付き溝形鋼３２のウェブ３１を背中合わせとした縦枠材３０に、一つのホールダウン金物３８における接合用プレート３９を、前記ウェブ３１の部分に重ね合わせるように配置して、ウェブ３１中央部付近に配設した多数のドリルねじ３６により、ホールダウン金物３８と縦枠材３０とを接合するようにした壁パネル３７の構造も知られている（例えば、特許文献２参照）。
【先行技術文献】
【特許文献】
【０００５】
【特許文献１】特開２００５−３２０８６０号公報
【特許文献２】特開２００５−２４８５２９号公報
【発明の概要】
【発明が解決しようとする課題】
【０００６】
図１２に示すように、地震時或いは風荷重等の水平力Ｑが建物に作用した場合には、基礎１０と建物の１階の壁パネルからなる耐力壁２との定着部、或いは各階の耐力壁における下階側と上階側の接合部には、地震時等において引張力（引抜き力）Ｔ及び圧縮力（押し込み力）Ｃが作用する。
【０００７】
前記各従来技術の場合は、水平方向の横断面において、形鋼のウェブ３１に、一つの接合金物３４又はホールダウン金物３８と、一つのボルト１又はアンカーボルト１を配置する設計形態とされているため、高強度化が困難であるという問題がある。
【０００８】
前記のような一つのボルト又はアンカーボルトと一つの接合金物或いはホールダウン金物を用いた壁パネルを、基礎又は上階の壁パネルに接合する接合構造としたスチールハウス等の建物がある。このような建物に対して、地震時に水平力Ｑが作用した場合には、前記引張力Ｔに抵抗する構造として、図１６に示す従来の構造では、ホールダウン金物３８における接合用プレート３９を縦枠材３０のウェブ３１に止める構造であり、しかも、水平な横断面において、縦枠材３０内に一つのホールダウン金物３８しか配置することができない構造であるため、建物の水平方向の大型化、或いは３階、４階と階層が増した場合には、引抜き力も大きくなることから、図１７に示すように、引張力Ｔが作用した場合に、リップ付き溝形鋼３２のウェブ３１の面外曲げ変形Ｓによりホールダウン金物３８が矢印Ｍで示す方向に回転し、ドリルねじ３６が抜け出す恐れがあるという問題があった。そのため、建物の水平方向の大型化或いは階層が増した場合にも十分対応可能な高強度の接合構造が求められていた。
【０００９】
前記のような高強度の接合構造とするには、従来の構造では困難であることから、耐力壁における縦枠材の壁厚幅寸法内において、アンカーボルト又はボルトを如何に設置するか、また、設置されたアンカーボルト又はボルトにより荷重を分担できる構造であることが必要になるとの知見を得て、種々研究した結果、本発明を完成した。
【００１０】
また、好ましくは縦枠材側のウェブの面外曲げによる接合金物の回転を防止する接合構造とすることで、耐力壁を高強度接合とする場合に有利になる知見を得て、種々研究した結果、本発明を完成した。
【００１１】
本発明は、溝形断面の縦枠材のウェブの曲げ変形を解消可能で、高強度化が可能な壁パネルの接合構造及びその構造に用いる接合金物を提供することを目的とする。
【課題を解決するための手段】
【００１２】
第１発明の耐力壁の接合構造では、耐力壁の縦枠材に薄板軽量形鋼を用いて、アンカーボルト又はボルトと縦枠材とを接合金物を介して固定した耐力壁の接合構造において、前記耐力壁の少なくとも片面に取り付けられる構造用面材と直交する壁厚方向に、アンカーボルト又はボルトを複数配置したことを特徴とする。
【００１３】
また、第２発明では、第１発明の耐力壁の接合構造において、前記接合金物は、水平断面形状が壁厚方向に長辺を有する長方形である筒状体を備えており、縦枠材における短辺側の対向するフランジ内側面に前記長方形の筒状体の短辺側が重合するように配置され、前記接合金物の各短辺と前記縦枠材の各フランジとがそれぞれねじ止めされていることを特徴とする。
【００１４】
第３発明では、第２発明の耐力壁の接合構造において、前記接合金物の降伏耐力は、前記複数のアンカーボルト及びボルトの降伏耐力よりも低く、かつ前記接合金物の最大耐力は、前記複数のアンカーボルト及びボルトの降伏耐力よりも高くされて、前記接合金物は、前記アンカーボルト及びボルトより先に降伏可能にされ、かつ前記接合金物は、耐力を保持しながら変形可能にされていることを特徴とする。
【００１５】
第４発明では、第２発明又は第３発明の耐力壁の接合構造に用いる接合金物であって、前記接合金物は、前記アンカーボルト又はボルトを収納配置する内側筒状体を複数備え、その内側筒状体は、前記長方形の筒状体の内側において壁厚方向に間隔をおいて複数配置されていると共に前記長方形の筒状体に固定されていることを特徴とする。
【００１６】
第５発明では、第１発明の耐力壁の接合構造において、前記接合金物は、前記耐力壁の下方から上方に渡って設けられるウェブと、当該ウェブの上端及び下端に設けられる接合用フランジとを備え、前記接合金物のウェブが前記縦枠材のウェブに重合させてねじ接合され、前記接合用フランジが壁厚方向に配置された複数のアンカーボルト又はボルトにより連結されることを特徴とする。
【００１７】
第６発明では、第５発明の耐力壁の接合構造に用いる接合金物であって、前記接合金物は、前記耐力壁の下方から上方に渡って、壁厚方向に複数並列して配置された溝形部材により形成されるウェブと、それぞれの前記溝形部材の上端及び下端に、上下方向に貫通するボルト挿通孔を有する接合用フランジとを備えていることを特徴とする。
【発明の効果】
【００１８】
第１発明によると、耐力壁の縦枠材に薄板軽量形鋼を用いて、アンカーボルト又はボルトと縦枠材とを接合金物を介して固定した耐力壁の接合構造において、前記耐力壁の少なくとも片面に取り付けられる構造用面材と直交する壁厚方向に、アンカーボルト又はボルトを複数配置したので、簡単な構造で、耐力壁の高強度接合を可能にすることができる等の効果が得られる。
【００１９】
また、第２発明によると、第１発明の耐力壁の接合構造において、前記接合金物は、水平断面形状が壁厚方向に長辺を有する長方形である筒状体を備えており、縦枠材における短辺側の対向するフランジ内側面に前記長方形の筒状体の短辺側が重合するように配置され、前記接合金物の各短辺と前記縦枠材の各フランジとがそれぞれねじ止めされているので、接合金物のウェブと縦枠材のウェブとが接合されておらず、縦枠材のウェブが面外方向に曲げ変形するのを防止することができ、また、接合金物のフランジが壁厚方向の両側に配置され、縦枠材のフランジが壁厚方向の両側に配置され、各フランジを短辺として重合されてねじ接合されているので、接合金物の壁厚方向の両端は拘束されることで、ねじが抜け出すことはない等の効果が得られる。
【００２０】
第３発明によると、第２発明の耐力壁の接合構造において、前記接合金物の降伏耐力は、前記複数のアンカーボルト及びボルトの降伏耐力よりも低く、かつ前記接合金物は、耐力を保持しながら変形可能にされているので、地震エネルギーを効率的に吸収することができる等の効果が得られる。
【００２１】
第４発明の耐力壁の接合構造に用いる接合金物によると、第２発明又は第３発明の耐力壁の接合構造に用いる接合金物であって、前記接合金物は、前記アンカーボルト又はボルトを収納配置する内側筒状体を複数備え、その内側筒状体は、前記長方形の筒状体の内側において壁厚方向に間隔をおいて複数配置されていると共に前記長方形の筒状体に固定されているので、簡単な構造の接合金物により、縦枠材のウェブに接合することなく、縦枠材のフランジに接合することができ、しかもアンカーボルト又はボルトに固定可能な接合金物とすることができる等の効果が得られる。
【００２２】
第５発明によると、第１発明の耐力壁の接合構造において、前記接合金物は、前記耐力壁の下方から上方に渡って設けられるウェブと、当該ウェブの上端及び下端に設けられる接合用フランジとを備え、前記接合金物のウェブが前記縦枠材のウェブに重合させてねじ接合され、前記接合用フランジが壁厚方向に配置された複数のアンカーボルト又はボルトにより連結されるので、接合金物自体で縦枠材におけるウェブの面外変形に伴う回転を止めることができ、また、接合金物で圧縮力及び引張力の軸力を負担することができる等の効果が得られる。
【００２３】
第６発明の耐力壁の接合構造に用いる接合金物によると、第５発明の耐力壁の接合構造に用いる接合金物であって、前記接合金物は、前記耐力壁の下方から上方に渡って、壁厚方向に複数並列して配置された溝形部材により形成されるウェブと、それぞれの前記溝形部材の上端及び下端に、上下方向に貫通するボルト挿通孔を有する接合用フランジとを備えているので、上階側の接合金物と下階側の接合金物をボルト・ナット等により容易に連結して、接合金物自体で縦枠材側のウェブの面外曲げ変形を起こそうとした場合に作用する、回転を止めることができる等の効果が得られる。
【図面の簡単な説明】
【００２４】
【図１】本発明の第１実施形態の壁パネルの接合構造を示す横断平面図である。
【図２】図１に示す壁パネルの接合構造の一部を省略して示す正面図である。
【図３】第１実施形態の壁パネルからなる耐力壁を示すものであって、（ａ）は側面図、（ｂ）は断面図である。
【図４】本発明の第２実施形態の壁パネルの接合構造を示す横断平面図である。
【図５】図４に示す壁パネルの接合構造のａ−ａ線断面図である。
【図６】図４に示す壁パネルの接合構造の室外側からの側面図である。
【図７】図４におけるアンカーボルト付近で切断した横断平面図である。
【図８】第２実施形態の壁パネルからなる耐力壁を示すものであって、（ａ）は側面図、（ｂ）は断面図である。
【図９】端根太又は側根太を挟んで上下に隣り合う壁パネルからなる耐力壁における縦枠材を接合する場合における接合構造の概略図である。
【図１０】（ａ）は本発明の第３実施形態の壁パネルの接合構造を示す縦断側面図、（ｂ）はその横断平面図である。
【図１１】第３実施形態の壁パネルからなる耐力壁を示すものであって、（ａ）は側面図、（ｂ）は断面図である。
【図１２】建物に水平力が作用した場合に引抜き力（引張力）及び押し込み力（圧縮力）が作用することを説明するための図である。
【図１３】従来の上階側の耐力壁の縦枠材と下階側の耐力壁の縦枠材とを１本のボルトとその上下部に位置固定可能に装着された側方開口溝形断面の接合金物により接合した縦断側面図である。
【図１４】図１３に示す接合構造における横断平面図を示し、（ａ）はボルトにねじ込まれた雌ねじ部材付近の横断平面図、（ｂ）はボルトに装着された座金付近の横断平面図、（ｃ）は側方開口溝形断面の接合金物付近の横断平面図である。
【図１５】端根太又は側根太を挟んで上下に隣り合う壁パネルにおける縦枠材を接合する場合の従来の接合構造の概略図である。
【図１６】（ａ）は壁パネルの接合構造の他の形態を示す横断平面図、（ｂ）は一部を省略して示す正面図である。
【図１７】従来の壁パネルの接合構造における縦枠材のウェブが曲げ変形してホールダウン金物が回転している状態を示す説明図である。
【発明を実施するための形態】
【００２５】
次に、本発明を図示の実施形態に基づいて詳細に説明する。
【００２６】
（第１実施形態）
まず、図１〜図３を参照して、本発明の第１実施形態の壁パネルからなる耐力壁の接合構造について説明する。
【００２７】
図１は、本発明の第１実施形態の壁パネルの接合構造を示す横断平面図である。図１は、図３に示す左下部付近を示している図であり、図２は、図３に示す右下部付近を示している図である。図１〜図３では、コンクリート製基礎等の基礎１０に固定された壁厚方向Ｘの複数のアンカーボルト１又はボルト１に、耐力壁２を、接合金物３を介して固定している構造が示されている。
【００２８】
図１、図２では、正面長方形状等の壁パネルからなる耐力壁２の下側の一側部が示されている。鋼製等の壁パネルからなる耐力壁２は、溝形鋼からなる左右の縦枠材４と溝形鋼等の上部の横枠材５及び下部の横枠材５とが、それらの端部において溶接等により接合されていると共に、中間部に中間横枠材又は中間縦枠材が適宜配置されてその端部が前記縦枠材４又は上下の横枠材５に接合されて、全体として正面視で外形が矩形状又は長方形状の枠形フレーム１５を備えている。
【００２９】
接合金物３は、図１、図２に示すように、鋼製材料からなり、鉛直方向に設けられたウェブ３ａと、ウェブ３ａの壁厚方向Ｘの両端部から延びるように設けられたフランジ３ｂと、ウェブ３ａ及びフランジ３ｂの下端に設けられた接合用フランジ１７とを備えるものとすることができる。接合金物３は、内側縦枠部材４ｂのウェブ８ｂの内側面に、接合金物３のウェブ３ａを重合させて、ドリルねじ２０によってねじ止めされている。構造用面材７は、上下方向に間隔をおいた多数のドリルねじ２９によって、外側縦枠部材４ａのフランジ９ａに接合される。
【００３０】
接合金物３は、図１、図２に示すように、壁厚方向Ｘに間隔をおいて、２つのボルト挿通孔１８が対称に設けられ、２つのボルト挿通孔１８の間に、ウェブ３ａの中間から延びるようにリブ３ｃが設けられる。ボルト挿通孔１８は、基礎１０における壁厚方向Ｘに間隔をおいた複数のアンカーボルト１が挿入され、アンカーボルト１に雌ねじ部材２２をねじ込むことで、壁パネルからなる耐力壁２を基礎１０に立設することができる。接合金物３は、アンカーボルト１が壁厚方向Ｘに複数挿入されているので耐力壁２の高強度接合を可能にすることができる。
【００３１】
さらに、接合金物３は、図２に示すように、横枠材５を介して基礎１０に固定することもできる。これにより、接合金物３は、図１７において見られる縦枠材４のウェブ８の面外曲げは生じにくくなり、この面外曲げによるドリルねじ２９の抜け出しを防止して、耐力壁２の高強度接合を可能にすることができる。
【００３２】
また、耐力壁２の縦枠材４に薄板軽量形鋼を用いて、アンカーボルト１又はボルト１と縦枠材４とを接合金物３を介して固定した耐力壁２の接合構造において、前記耐力壁２の少なくとも片面に取り付けられる構造用面材７と直交する壁厚方向Ｘに、アンカーボルト１又はボルト１を間隔をおいて複数配置したので、簡単な構造で、耐力壁２の高強度接合を可能にしている。
【００３３】
（第２実施形態）
次に、図４〜図７を参照して、本発明の第２実施形態の壁パネルからなる耐力壁の接合構造について説明する。
【００３４】
図４及び図７は、本発明の第２実施形態の壁パネルの接合構造を示す横断平面図であり、図５及び図６の横断平面図に相当している。図４〜図７は、図８に示す左下部付近を示している図である。図４〜図７では、コンクリート製基礎等の基礎１０に固定された壁厚方向Ｘの複数のアンカーボルト１又はボルト１に、耐力壁２を、接合金物３を介して固定している構造が示されている。
【００３５】
図４〜図７では、正面長方形状等の壁パネルからなる耐力壁２の下側の一側部が示されている。鋼製壁パネルからなる耐力壁２は、溝形鋼からなる左右の縦枠材４と溝形鋼等の上部の横枠材５及び下部の横枠材５とが、それらの端部において溶接等により接合されていると共に、中間部に中間横枠材又は中間縦枠材が適宜配置されてその端部が前記縦枠材４又は上下の横枠材５に接合されて、全体として正面視で外形が矩形状又は長方形状の枠形フレーム１５を備えている。
【００３６】
前記の壁パネルからなる耐力壁２は、建物、特にスチ−ルハウス（普通、板厚０．４ｍｍ以上、２．３ｍｍ未満の薄板軽量形鋼による枠材と、この枠材に構造用面材７を組み合わせて構成される鉄鋼系パネル構造の建物）或いは木造住宅において使用される耐力壁２の場合と、耐力壁２における縦枠材４の板厚寸法が、前記寸法以外の例えば２．３ｍｍ以上、例えば４．５ｍｍ等の板厚寸法の形鋼からなる縦枠材４及び横枠材５が用いられる耐力壁２の場合とがある。
【００３７】
壁パネルからなる耐力壁２に設置されている構造用面材７は、壁パネルの少なくとも片面に設けられている面材であり、室外側においては、図示の形態のように、折板等の鋼板からなる構造用面材７が設けられ、室内側においては、合板や石膏ボード等の非金属材料からなる構造用面材７が設けられる。
【００３８】
壁パネルからなる耐力壁２は、左右両端部に、縦枠材４を備えている。図４に示す場合は、断面中空矩形状の鋼製角鋼（角パイプ）を、壁厚方向Ｘに複数（図示の場合は２本）平行に角鋼の一辺を当接させて並列配置する共に、前記一辺の両端部をコーナー部において溶接により接合して外側縦枠部材４ａを形成していると共に、断面リップ付き溝形鋼からなる内側縦枠部材４ｂにおけるウェブ８ｂを、外側縦枠部材４ａのウェブ８ａに当接して、内側縦枠部材４ｂにおけるウェブ８ｂと外側縦枠部材４ａのウェブ８ａとを、上下方向に間隔をおくと共に壁厚方向Ｘに間隔をおいた多数のドリルねじ２９により接合して、縦枠材４を形成している。前記のドリルねじ２９は、内側縦枠部材４ｂにおけるウェブ８ｂに対してフランジ９ｂ寄りに設置されていることで、内側縦枠部材４ｂにおけるウェブ８ｂの面外変形が、中央寄りに設置する場合に比べて、ほとんど生じないようにされている。
【００３９】
前記内側縦枠部材４ｂは、リップ付き溝形鋼からなる内側縦枠部材４ｂであり、その内側縦枠部材４ｂのウェブ８ｂが壁厚方向Ｘに配置され、リップ付き溝形鋼からなる内側縦枠部材４ｂのフランジ９ｂが、壁厚方向Ｘの両側に短辺側として配置され、外側縦枠部材４ａの一方のフランジ９ａの外面と、内側縦枠部材４ｂの一方のフランジ９ｂ外面とは同面状とされている。
【００４０】
前記内側縦枠部材４ｂのウェブ８ｂと各フランジ９ｂにより形成される溝内に、接合金物３が、前記内側縦枠部材４ｂの軸方向から挿入されて、内側縦枠部材４ｂのウェブ８ｂに近接するようにウェブ８ｂ寄りに配置されている。
【００４１】
前記接合金物３は、鋼製材料からなり、水平断面形状が壁厚方向Ｘに長辺を有する長方形である筒状体６を備えており、対向するフランジ９ｂを短辺とする内側縦枠部材４ｂにおけるフランジ９ｂの内側面に前記長方形の筒状体６の短辺のフランジ６ａが重合するように、内側縦枠部材４ｂのウェブ８ｂ寄りに配置され、接合金物３の各短辺（フランジ６ａ）と縦枠材４の各短辺（フランジ９ｂ）とがそれぞれドリルねじ２０によりねじ止めされている。図示の形態では、構造用面材７として、室外側に配置の鋼製折板の谷部フランジが縦枠材４の片面に当接されて、鋼製折板と、接合金物３における筒状体６とが、内側縦枠部材４ｂのフランジ９ｂに、上下方向に間隔をおくと共に左右方向に間隔をおいた多数のドリルねじ２０により接合されている。筒状体６が内側縦枠部材４ｂのウェブ８ｂ寄りに配置されていることで、内側縦枠部材４ｂのフランジ９ｂの先端側にドリルねじ２０により接合する場合に比べて曲げ力が小さくなるようにされている。
【００４２】
前記接合金物３における平面視で長方形の筒状体６の内側には、壁厚方向Ｘに間隔をおいて中央寄りに、横断面円形又は矩形の複数（図示の場合は２つ）の内側筒状体６ｃが対称に配置されて、前記筒状体６に溶接Ｗ等により固定されている。平面視で長方形の筒状体６の上下方向の高さ寸法と、内側筒状体６ｃの上下方向の高さ寸法とは同じ長さ寸法とされている。前記の各内側筒状体６ｃを有する筒状体６を下部（又は、下部と上部との両方）に備えた縦枠材４の下端部に、下部の横枠材５を設置し、前記縦枠材４の上端部に上部の横枠材５を設置して、前記の枠形フレーム１５が構成されている。また、下部の横枠材５には、各内側筒状体６ｃに対応して、壁厚方向Ｘに間隔をおいた複数のボルト挿通用の縦貫通孔、又は、複数のボルト１を挿入可能な縦貫通孔が設けられて、アンカーボルト１又はボルト１を挿入可能にしている。
【００４３】
アンカーボルト１に取り付けられた下部雌ねじ部材１２及び緩み止め座金は、アンカーボルト１の上端部とともに下部の横枠材５に挿入される。次に、下部雌ねじ部材１２及び緩み止め座金は、アンカーボルト１の上端部のみが筒状体６の対向するウェブ３ａに渡る下部の座金４２に挿入され、下部の横枠材５と下部の座金４２との間に設けられることになる。さらに、下部雌ねじ部材１２及び緩み止め座金は、下部雌ねじ部材１２をねじ込むことにより、下部の座金４２を下部の横枠材５から離間させた状態で筒状体６を固定して、下部の横枠材５及び前記各内側筒状体６ｃを備えた壁パネルからなる耐力壁２が基礎１０に載せ置かれる。筒状体６は、筒状体６の対向するウェブ３ａに渡る上部の座金４２にアンカーボルト１の上端部が挿入され、上部雌ねじ部材１１がアンカーボルト１の上端部にねじ込まれる。これにより、前記壁パネルからなる耐力壁２は、筒状体６の座金４２が上下から上部雌ねじ部材１１及び下部雌ねじ部材１２で固定された状態で立設される。なお、筒状体６の対向するウェブ３ａに渡る下部及び上部の座金４２は、筒状体６の対向するウェブ３ａの外面又は内側面に係合する脚部を備えた形態とすることで回り止め座金４２としてもよく、また、２枚の座金４２を一体化して回り止め座金４２としてもよい。
【００４４】
前記接合金物３の降伏耐力は、複数のアンカーボルト１の降伏耐力よりも低く、かつ前記接合金物３は、耐力を保持しながら変形可能にされている。これにより、塑性化部位は接合金物３に集約されるため、大地震後の建物の再使用は接合金物３の交換だけで済む可能性がある。なお、接合金物３の具体的な形状については、筒状体６の側面に多様な形状のスリット孔を形成する加工等により、減衰部を設けることも効果的である。
【００４５】
なお、図示を省略するが、前記第２実施形態におけるコンクリート製の基礎１０を、妻面側の梁又は軒梁に置き換え、前記アンカーボルト１を上下階の耐力壁２の接合金物３に十分渡る長さのボルト１に置き換えて、接合金物３を上下階間で間隔をおいて２つ設けるようにすれば、上階側の耐力壁２及び下階側の耐力壁２相互を接合する接合構造になる。
【００４６】
このような場合には、壁パネルからなる耐力壁２における縦枠材４の上部に、前記実施形態と同様に、上部の接合金物３を設置すると共に、上部の横枠材側の接合金物３における各内側筒状体６ｃに対応した位置の上部の横枠材５にボルト挿入用の縦貫通孔を設け、床パネル１３（図９参照）における梁の上下のフランジにも同様にボルト挿通用の縦貫通孔を設けるようにすることで、上階側の壁パネルからなる耐力壁２と、下階側の壁パネルからなる耐力壁２を接合することができる。なお、このような場合には、床パネル１３内又は独立した圧縮補強金物１４及び補強プレートを介在させると、引張力及び圧縮力を下階側或いは上階側に伝達することができる。なお、図９に示すように、せん断拘束用アンカー４７を基礎１０に立設させて、耐力壁２の下部の横枠材５の移動を拘束するようにしてもよい。
【００４７】
また、平面視で長方形の筒状体６の各フランジ６ａは、縦枠材４における内側縦枠部材４ｂに引張力が作用しても、内側縦枠部材４ｂを含む縦枠材４のウェブ８が、接合金物３側の面外方向に変形することがなく、そのため、接合金物３が前記面外方向に回転するおそれがないから、接合金物３と縦枠材４とを接合しているドリルねじ２０が抜け出すおそれを排除することができ、高耐力の接合構造とすることができる。前記の接合金物３は、耐力壁２の各縦枠材４に、予め工場等において組み込まれている。
【００４８】
このように、耐力壁２の縦枠材４に薄板軽量形鋼を用いて、アンカーボルト１又はボルト１と縦枠材４とを接合金物３を介して固定した耐力壁２の接合構造において、前記耐力壁２の少なくとも片面に取り付けられる構造用面材７と直交する壁厚方向Ｘに、アンカーボルト１又はボルト１を間隔をおいて複数配置したので、簡単な構造で、耐力壁２の高強度接合を可能にしている。
【００４９】
前記実施形態のように、複数のアンカーボルト１又はボルト１を配置する場合に、前記耐力壁２からなる耐力壁パネル２４における縦中心軸線からの壁厚方向Ｘのボルト１までの距離を等しくすると共に、上下階においても同じように設定することで、各アンカーボルト１又はボルト１に作用させる応力を均等に負担させることができる。また、複数のアンカーボルト１に均等に負担させることで、アンカーボルト１の直径断面を１本のみ設ける場合に比べて小さくすることができる。また、接合金物３のフランジ３ｂを縦枠材４のフランジ９ｂにねじ接合しているため、接合金物３における壁厚方向Ｘの両端を拘束していることになり、ドリルねじ２０が抜け出すおそれを排除することができる。また、ドリルねじ２０の抜け出しを防止することができるため、ねじの接合効率を向上させて接合部の接合強度向上に寄与でき、ねじ本数を削減することもできる。
【００５０】
（第３実施形態）
図１０には、本発明の第３実施形態の壁パネルからなる耐力壁の接合構造が示され、図１１には、耐力壁２が示されている。この実施形態では、主に、耐力壁２における縦枠材４に設けられる接合金物３が相違している。
【００５１】
この第３実施形態では、耐力壁２における左右両側部の各縦枠材４が、１本ものの鋼製角パイプとされ、水平断面が壁厚方向Ｘに長辺を有する長方形の鋼製角パイプとされている。各縦枠材４におけるウェブ８に、複数の溝形鋼等の溝形部材からなる接合金物３がドリルねじ２０により固定されている。複数の溝形鋼等の溝形部材からなる接合金物３は、各溝形鋼等の溝形部材のフランジ相互が隣り合うように当接されて並列して配置され、各溝形鋼等の溝形部材からなる接合金物３のウェブ３ａが、縦枠材４に上下方向に間隔をおくと共に壁厚方向Ｘに間隔をおいた多数のドリルねじ２０により固定されている。
【００５２】
前記接合金物３を形成している各溝形鋼等の溝形部材からなる接合金物３は、基礎１０から２階の床パネル１３の下面までの長さ寸法、又は下階床パネルから上階床パネル下面までの長さ寸法とされ、ほぼ壁パネルからなる耐力壁２の高さ寸法とされている。前記各溝形鋼等の溝形部材からなる接合金物３のウェブ３ａは、その高さ方向のほぼ全長に渡って、上下方向に間隔をおくと共に壁厚方向Ｘに間隔をおいた多数のドリルねじ２０により固定されている。
【００５３】
各溝形鋼等の溝形部材からなる接合金物３の上下両端部には、当該接合金物３のウェブ３ａ及び各フランジ１６に溶接等により固定された接合用フランジ１７が水平に取り付けられ、その各接合用フランジ１７には、ボルト挿通用のボルト挿通孔１８がそれぞれ設けられている。前記の接合金物３は、前記実施形態と同様に、予め耐力壁２に組み込まれている。
【００５４】
このような接合金物３を備えた耐力壁２も前記実施形態と同様に、基礎１０における壁厚方向Ｘに間隔をおいた複数のアンカーボルト１を、接合金物３における各接合用フランジ１７の各ボルト挿通孔１８にそれぞれ挿入するように、耐力壁２を建て込み、前記各アンカーボルト１に雌ねじ部材２２をねじ込むことで、壁パネルからなる耐力壁２を基礎１０に立設することができる。
【００５５】
また、床パネル１３におけるフランジ付連結体２８の縦貫通孔を、下階側の接合金物３のボルト挿通孔１８に合致するように配置し、フランジ付連結体２８の下部のフランジ１９と、下階側の接合金物３における上部の接合用フランジ１７とを、ボルト・ナット２３により接合し、前記フランジ付連結体２８における上部のフランジ１９の縦貫通孔に、上階側の接合金物３のボルト挿通孔１８が合致するように、上階側の耐力壁２を建て込み、前記フランジ付連結体２８における上部のフランジ１９と、上階側の接合金物３における下部の接合用フランジ１７とを、ボルト・ナット２３により接合することで、上階に向って建て込んでいくことができる。なお、適宜、縦貫通孔を備えた鋼板等の調整プレート２７を介在させてもよい。
【００５６】
この第３実施形態では、接合金物３が、ほぼ１階分高さ寸法の形鋼を備え、壁パネルからなる耐力壁２における縦枠材４と同じ高さ寸法であり、縦枠材４のウェブ８の全長に渡って配置されて、縦枠材４及び接合金物３の全長に渡ってドリルねじ２０により接合されている構造で、縦枠材４と接合金物３との間での引張力及び圧縮力の伝達が確実で、応力が分散して伝達される構造とされ、形鋼を用いた接合金物３により縦枠材４及びそのウェブ８が補強されている構造とされている。そのため、地震時等に水平力が作用した場合に、縦枠材４のウェブ８に引張力が作用しても、その全長に接合金物３のウェブ３ａが接合されているため、縦枠材４のウェブ８の面外変形が起きないように拘束し、接合金物３に十分分散して伝達することができると共に接合金物３自体も支持力を発揮する構造になっている。前記のように、接合金物３自体も支持力を発揮する構造とするために、縦枠材４の板厚寸法よりも厚い板厚寸法のウェブ３ａ及びフランジ３ｂを備えた形鋼を利用した接合金物３とするとよい。
【００５７】
また、下階側の接合金物３と基礎１０とが複数のアンカーボルト１により固定され、また、下階側の接合金物３と上階側の接合金物３とが、床パネル１３におけるフランジ付連結体２８を介して複数のボルト・ナット２３により強固に連結されているため、上下階に渡り一体とされた接合金物３自体は回転することのない構造になっており、縦枠材４側の面外変形を防止する共に、縦枠材４側の面外変形をしようとする時の曲げモーメントＭに抵抗できる構造（モーメントを負担できる構造）になっている。
【００５８】
なお、前記実施形態におけるドリルねじ２０による接合は、支圧接合により接合されている。本発明を実施する場合、前記のドリルねじ２０に代えて、他のねじ接合としてもよい。
【符号の説明】
【００５９】
１  アンカーボルト、ボルト
２  耐力壁
３  接合金物
３ａ  ウェブ（接合金物３の）
３ｂ  フランジ（接合金物３の）
３ｃ  リブ（接合金物３の）
４  縦枠材
４ａ  外側縦枠部材
４ｂ  内側縦枠部材
５  横枠材
６  筒状体
６ａ  フランジ
６ｃ  内側筒状体
７  構造用面材
８  ウェブ
８ａ  ウェブ（外側縦枠部材４ａの）
８ｂ  ウェブ（内側縦枠部材４ｂの）
９ａ  フランジ（外側縦枠部材４ａの）
９ｂ  フランジ（内側縦枠部材４ｂの）
１０  基礎
１１  上部雌ねじ部材
１２  下部雌ねじ部材
１３  床パネル
１４  圧縮補強金物
１５  枠形フレーム
１６  フランジ
１７  接合用フランジ
１８  フランジ付連結体
１９  フランジ（フランジ付連結体１８の）
２０  ドリルねじ
２２  雌ねじ部材
２３  ボルト・ナット
２４  耐力壁パネル
２７  調整プレート
２８  フランジ付連結体
２９  ドリルねじ
４２  座金
４７  せん断拘束用アンカーボルト
【図１】
2014015804.tif 000003
【図２】
2014015804.tif 000004
【図３】
2014015804.tif 000005
【図４】
2014015804.tif 000006
【図５】
2014015804.tif 000007
【図６】
2014015804.tif 000008
【図７】
2014015804.tif 000009
【図８】
2014015804.tif 000010
【図９】
2014015804.tif 000011
【図１０】
2014015804.tif 000012
【図１１】
2014015804.tif 000013
【図１２】
2014015804.tif 000014
【図１３】
2014015804.tif 000015
【図１４】
2014015804.tif 000016
【図１５】
2014015804.tif 000017
【図１６】
2014015804.tif 000018
【図１７】
2014015804.tif 000019